(57)【特許請求の範囲】
【請求項１】
サッシ枠が取付けられる開口部の下枠材において、
上記サッシ枠の下枠の長手方向に対して交差し、上記サッシ枠の下枠が接する側の一側端縁まで延びる複数の溝を有することを特徴とする下枠材。
【請求項２】
サッシ枠が取付けられる開口部の下枠材において、
上記サッシ枠の下枠の長手方向に対して交差し、上記サッシ枠の下枠が接する側の一側端縁まで延びる複数の溝を有する下板材、及び
上記下板材の上面を覆い、上記下板材の他側端縁から突出する薄板状の上板材を備えることを特徴とする下枠材。
【請求項３】
上記溝が、上記一側端縁に近づくにつれて深くなるテーパーを有することを特徴とする請求項１又は２に記載の下枠材。
【請求項４】
サッシ枠が取付けられる開口部の下部構造であって、
上記サッシ枠の下枠、
該サッシ枠の下枠の長手方向に対して交差し、上記サッシ枠の下枠が接する側の一側端縁まで延びる複数の溝を有する下枠材、及び
該下枠材の下面に当接し、上記サッシ枠の下枠の下方へと導出される防水シートを備えることを特徴とする開口部の下部構造。
【発明の詳細な説明】
【技術分野】
【０００１】
本発明は、下枠材及び開口部の下部構造に関する。
【背景技術】
【０００２】
浴室と脱衣室との間に設けられるドアは、布基礎の上に配置された土台の上に矩形状に組まれた柱や板材の内面側に開口枠が嵌め込まれ、当該開口枠に対して取着されたサッシ枠に取付けられる。開口枠は、上下枠材及び縦枠材からなり、下枠材は、サッシ枠材と脱衣室の床材（フローリング材）との間を繋いでいる。
【０００３】
従来、この種の下枠材において、フローリング材との間に段差や隙間が生じないように端縁の上面から突出するように延設された鍔部をフローリング材の縁部に重ねるようにして設ける構造や、上面に滑り止め防止のリブを設けるものがある（例えば、特許文献１参照）。
【０００４】
このような従来の開口部の下部構造について、図面を用いて説明する。
図４は、従来の開口部の下部構造を模式的に示す断面図である。
下枠材８１は、脱衣室９７と浴室９８との間において、下地材（捨て張り合板）９１の上面に設置されている。下枠材８１は、ベニヤ合板製の下板材８２と、Ｅ−ＡＢＳ樹脂の成形体表面にＡＳＡ樹脂コートが施された上板材８３とからなり、下板材８２の上に上板材８３が取り付けられている。
下枠材８１と、縦枠８４と、上枠材（図示せず）とは、開口枠を構成し、開口枠は、脱衣室９７と浴室９８と区画する開口部９９を包囲する形状を有する。
【０００５】
下枠材８１の浴室９８側には、アルミ製のサッシ枠の下枠９４が設けられている。下枠９４の脱衣室９７側の端部９４ａは、下方に向けて折り曲げられており、下枠材８１の上面に乗り上げて下枠材８１の上面を下方に向けて圧縮変形させている。これにより、サッシ枠の下枠９４の端部９４ａは、下枠材８１に係止され、サッシ枠の下枠９４は固定される。
【０００６】
なお、下地材９１の下側では、土台９０と根太９５とが組まれており、その上に、下地材９１が設置されている。
【０００７】
図５（ａ）は、従来の下枠材を模式的に示す平面図であり、（ｂ）は、その側面図である。
下枠材８１は、下板材８２と上板材８３とからなり、上板材８３の表面には、樹脂コート層８３ａが設けられている。樹脂コート層８３ａの上面には、長手方向に沿って平行に一方の側辺から他方の側辺まで連続する３本の滑り止めリブ８３ｂが設けられている。上板材８３の脱衣室９７側には、脱衣室９７側に向けて突出する鍔部８３ｃが設けられている。鍔部８３ｃは、図４に示すように、床材９２の縁部に重なっている。
【先行技術文献】
【特許文献】
【０００８】
【特許文献１】意匠登録第１１３３１１３号公報
【発明の概要】
【発明が解決しようとする課題】
【０００９】
従来の下枠材によれば、図４に示したように、サッシ枠の下枠９４の端部９４ａが下枠材８１の上面に対して圧接し、サッシ枠の下枠９４が下枠材８１に係止している。そのため、下枠材８１の上面に水やお湯等が掛かった場合に、水の逃げ場がないという問題があり、例えば、滑り止めリブ８３ｂの間等に、長時間に亘って下枠材８１の上面に水が溜まってしまう場合があった。
【００１０】
長時間に亘って下枠材８１の上面に水が溜まることは、安全面（例えば滑り防止等）の観点、及び衛生面（例えばカビ防止等）の観点からみて、望ましいことではなかった。また、長時間に亘って下枠材８１の上面に水が溜まっている場合、居住者は、例えば、浴室を利用してから長時間が経過しているので既に床面が乾燥しているだろうと思い込んでしまう等して、うっかり靴下を履いたまま下板枠８１を踏んでしまって、靴下が濡れてしまうおそれもあり、利便性の観点からみても問題があった。
【００１１】
また、下枠材８１の上面に水の逃げ場がないため、下枠材８１の上面に水が掛かると、下枠材８１の上面から水が溢れてしまうおそれがあった。また、浴室９８（又は床下）と脱衣室９７との温度差による結露水が生じ、これらの水や結露水等の水分が、脱衣室９７の床材９２の上面と、下枠材８１の鍔部８３ｃの下面との間に入り込み、水分が下枠材８１の下部にある土台９０、根太９５、下地材９１等にまで滲み出し、これらを腐食させるおそれがあった。
【００１２】
本発明は、上記の課題に鑑み、下枠材の下部にある土台や下地材の腐食を防止するサッシ枠が取付けられる開口部の下枠材及びその開口部の下部構造を提供することを目的とする。
【課題を解決するための手段】
【００１３】
本発明は、上述した課題を解決するために、以下の構成を採用する。
（１）  サッシ枠が取付けられる開口部の下枠材において、
上記サッシ枠の下枠の長手方向に対して交差し、上記サッシ枠の下枠が接する側の一側端縁まで延びる複数の溝を有することを特徴とする下枠材。
【００１４】
（１）の構成によれば、サッシ枠の下枠の長手方向に対して交差し、サッシ枠の下枠が接する側の一側端縁まで延びる複数の溝が形成されており、これにより、水の逃げ場が確保されるので、下枠材の上面の水を、該溝を介して、速やかに排出することができる。従って、下枠材の上面に長時間に亘って水が溜まることを防止することができるので、安全面、衛生面及び利便性において優れている。また、下枠材の上面に掛かった水又は下枠材に生じた結露水による水分を速やかに排出することができるので、脱衣室の床材と下枠材との間から水分が漏れ、下枠材の下部にある土台、根太、下地材等にまで滲み出し、これらを腐食することを防止することができる。
【００１５】
本発明は、更に、以下の構成を採用することができる。
（２）  サッシ枠が取付けられる開口部の下枠材において、
上記サッシ枠の下枠の長手方向に対して交差し、上記サッシ枠の下枠が接する側の一側端縁まで延びる複数の溝を有する下板材、及び
上記下板材の上面を覆い、上記下板材の他側端縁から突出する薄板状の上板材を備えることを特徴とする下枠材。
【００１６】
（２）の構成によれば、下枠材は、下板材と上板材とを備え、下板材には、サッシ枠の下枠の長手方向に対して交差し、サッシ枠の下枠が接する側の一側端縁まで延びる複数の溝が形成されており、これにより、水の逃げ場が確保されるので、下枠材の上面の水を、該溝を介して、速やかに排出することができる。従って、下枠材の上面に長時間に亘って水が溜まることを防止することができるので、安全面、衛生面及び利便性において優れている。また、下枠材の上面に掛かった水又は下枠材に生じた結露水による水分を速やかに排出することができるので、脱衣室の床材と下枠材との間から水分が漏れ、下枠材の下部にある土台、根太、下地材等にまで滲み出し、これらを腐食することを防止することができる。
【００１７】
本発明は、更に、以下の構成を採用することができる。
（３）  （１）又は（２）の下枠材において、
上記溝が、上記一側端縁に近づくにつれて深くなるテーパーを有することを特徴とする。
【００１８】
（３）の構成によれば、溝が、一側端縁が近づくにつれて深くなるため、溝に入り込んだ水分を、速やかに排出することができる。
【００１９】
本発明は、更に、以下の構成を採用することができる。
（４）  サッシ枠が取付けられる開口部の下部構造であって、
上記サッシ枠の下枠、
該サッシ枠の下枠の長手方向に対して交差し、上記サッシ枠の下枠が接する側の一側端縁まで延びる複数の溝を有する下枠材、及び
該下枠材の下面に当接し、上記サッシ枠の下枠の下方へと導出される防水シートを備えることを特徴とする開口部の下部構造。
【００２０】
（４）の構成によれば、サッシ枠の下枠の長手方向に対して交差し、サッシ枠の下枠が接する側の一側端縁まで延びる複数の溝が形成されており、これにより、水の逃げ場が確保されるので、下枠材の上面の水を、該溝を介して、速やかに排出することができる。従って、下枠材の上面に長時間に亘って水が溜まることを防止することができるので、安全面、衛生面及び利便性において優れている。また、下枠材の上面に掛かった水又は下枠材に生じた結露水による水分を速やかに排出することができるので、脱衣室の床材と下枠材との間から水分が漏れ、下枠材の下部にある土台、根太、下地材等にまで滲み出し、これらを腐食することを防止することができる。
【００２１】
また、図４に示す開口枠の構造では、長時間に亘って下枠材８１の上面に水が溜まると、サッシ枠の下枠９４と下枠材８１との間から少しずつ水が漏れるおそれもあり、その場合にも、水が下枠材８１の下部にある土台９０、根太９５、下地材９１等にまで滲み出し、これらを腐食させるおそれがあるが、上記（４）の構成では、溝からの水を、防水シートによって、土台、根太、下地材等に触れないようにしつつ、床下等に速やかに排出することができる。
【発明の効果】
【００２２】
下枠材の水分を、土台や下地材などを濡らすことなく床下等へと排出することができ、土台や下地材などの腐食やカビの発生を防止することができる。
【図面の簡単な説明】
【００２３】
【図１】本発明の第１実施形態に係る開口部の下部構造を模式的に示す断面図である。
【図２】（ａ）は、本発明の第１実施形態に係る下板材を模式的に示す平面図であり、（ｂ）は、その正面図であり、（ｃ）は、その側面図であり、（ｄ）は、（ａ）に示す下板材のＡ−Ａ線断面図である。
【図３】本発明の第２実施形態に係る開口部の下部構造を模式的に示す断面図である。
【図４】従来の開口部の下部構造を模式的に示す断面図である。
【図５】（ａ）は、従来の下枠材を模式的に示す平面図であり、（ｂ）は、その側面図である。
【発明を実施するための形態】
【００２４】
［第１実施形態］
図１は、本発明の第１実施形態に係る開口部の下部構造１を模式的に示す断面図である。
図２（ａ）は、本発明の第１実施形態に係る下板材２０を模式的に示す平面図であり、（ｂ）は、その正面図であり、（ｃ）は、その側面図であり、（ｄ）は、（ａ）に示す下板材のＡ−Ａ線断面図である。
【００２５】
図１に示すように、開口部の下部構造１は、下枠材１０と、サッシ枠の下枠４０と、防水シート５０とを備えている。下枠材１０は、脱衣室７と浴室８との間において、下地材（捨て張り合板）６１の上面に設置されている。下枠材１０は、合成樹脂製の板状体からなる下板材２０及び上板材３０とからなり、下板材２０の上に上板材３０が取り付けられている。下枠材１０を構成する下板材２０及び上板材３０と、サッシ枠の下枠４０とは、ともに、下地材６１の下側に設けられた土台６０と平行な方向に延びるように設けられている。換言すれば、サッシ枠の下枠４０の長手方向（図１における図面手前側から奥側に延びる方向）は、下枠材１０（下板材２０及び上板材３０）の長手方向に平行である。下枠材１０と、縦枠５１と、上枠材（図示せず）とは、開口枠（図示せず）を構成し、開口枠は、脱衣室７と浴室８とを区画する開口部９を包囲する形状を有する。なお、本発明において、下地材６１の下側の構造は、図１に示すような構成に限定されず、例えば、図４に示したような土台と根太とが組まれた構造であってもよい。
【００２６】
図１に示すように、下枠材１０の浴室８側には、アルミ製のサッシ枠の下枠４０が設けられている。下枠４０の脱衣室７側の端部４１は、下方に向けて折り曲げられており、下枠材１０の下板材２０の上面に当接している。下板材２０の上面に接着されて取り付けられた上板材３０は、床材６２と重なる部分の段差を少なくするために、薄板状となっており、下板材２０に比して薄い。上板材３０は、脱衣室７側に突出する床板側鍔部３２を有しており、床板側鍔部３２は、下地材６１の上面に設置された床材６２に重なっている。上板材３０の上面には、滑り止め用の凹凸（図示せず）が形成されている。なお、本実施形態において、下板材２０の厚さと床材６２の厚さとは等しく、上板材３０とサッシ枠の下枠４０の下板材２０の上面からの上方への突出高さとは等しいが、本発明は、この例に限定されない。
また、図１に示すように、下板材２０の短手方向（図中左右方向）の幅は、下板材２０のサッシ枠の下枠４０が接する側の一側端縁２６と、下地材６１との端面とが同一平面上に位置する状態で、下板材２０の他側端縁２７と、床材６２の端面６２ａとの間に間隔が空くように設定される。
【００２７】
図１及び図２（ａ）に示すように、下板材２０の上面における、サッシ枠の下枠４０が接する側（図中下側）には、下板材２０の長手方向（サッシ枠の下枠４０の長手方向）に対して直交し、サッシ枠の下枠４０が接する側の一側端縁２６まで延びる複数の排水用溝２１が、互いに間隔を空けて形成されている。排水用溝２１は、一側端縁２６とは反対側の他側端縁２７には達しておらず、下板材２０の長手方向の側辺にも達していない。排水用溝２１は、下板材２０の周縁のうち、一側端縁２６にのみ達している。また、下板材２０の上面には、下板材２０の長手方向に沿って、４本の接着剤溜め用（及び上板材３０滑り止め用）溝２４が形成されている。
【００２８】
図１、図２（ｃ）及び図２（ｄ）に示すように、排水用溝２１の底面２２は傾斜しており、排水用溝２１は、一側端縁２６に近づくにつれて深くなるテーパーを有している。即ち、排水用溝２１の側開口部２５の面積は、排水用溝２１の奥側壁２３の面積より大きい。本実施形態では、このように、排水用溝２１が、一側端縁２６に近づくにつれて深くなるテーパーを有するので、排水用溝２１に入り込んだ水及び下板材２０に生じた結露水による水分を速やかに排出することができる。また、排水用溝２１は、最も浅い箇所（奥側壁２３の位置する箇所）の深さが接着剤溜め用溝２４より深くなるように形成されている。なお、下板材２０において、接着剤溜め用溝２４は、必ずしも形成されていなくてもよい。
【００２９】
図１に示すように、上板材３０のサッシ枠側端部３１は、排水用溝２１の奥側壁２３よりもサッシ枠の下枠４０側に突出しており、排水用溝２１の上方に至っているが、一側端縁２６までは到達していない。サッシ枠の下枠４０の脱衣室７側の端部４１も、排水用溝２１の上方に位置している。即ち、上板材３０のサッシ枠側端部３１と、サッシ枠の下枠４０の脱衣室７側の端部４１とは、排水用溝２１の上方において、間隔を空けて対向している。従って、上板材３０の上面及びサッシ枠の下枠４０の端部４１の近傍に掛かった水分を速やかに排水用溝２１に導くことができる。また、各排水用溝２１の間における下板材２０の上面は平坦である。従って、サッシ枠の下枠４０を真っ直ぐに取り付けることができる。
【００３０】
また、図１に示すように、樹脂製の防水シート５０は、下板材２０と下地材６１との間に挟まれることにより、下枠材１０の下面に当接し、下地材６１の端面及び土台６０の側面を覆うように床下へと導出される。これにより、排水用溝２１を通過した水分は、防水シート５０の表面を伝って床下に至る。従って、下地材６１や土台６０等の腐食を防止することができる。
【００３１】
［第２実施形態］
図３は、本発明の第２実施形態に係る開口部の下部構造１０１を模式的に示す断面図である。
第２実施形態に係る開口部の下部構造は、下板材１２０の幅及び上板材１３０の幅が第１実施形態の下板材２０の幅及び上板材３０の幅より狭いことを除いて、第１実施形態と同様である。
【００３２】
図３に示すように、開口部の下部構造１０１は、下枠材１１０と、サッシ枠の下枠１４０と、防水シート１５０とを備えている。下枠材１１０は、脱衣室１０７と浴室１０８との間において、下地材１６１の上面に設置されている。下枠材１１０は、下板材１２０及び上板材１３０とからなり、下板材１２０の上に上板材１３０が取り付けられている。なお、１０９は開口部を指し、１６０は土台を指す。
【００３３】
下枠材１１０の浴室１０８側には、サッシ枠の下枠１４０が設けられている。下枠１４０の脱衣室１０７側の端部１４１は、下方に向けて折り曲げられており、下枠材１１０の下板材１２０の上面に当接している。
下板材１２０の上面における、サッシ枠の下枠１４０が接する側には、下板材１２０の長手方向に対して直交し、サッシ枠の下枠１４０が接する側の一側端縁１２６まで延びる排水用溝１２１が形成されている。排水用溝１２１は、一側端縁１２６が近づくにつれて深くなるテーパーを有している。
【００３４】
上板材１３０のサッシ枠側端部１３１は、排水用溝１２１の奥側壁１２３よりもサッシ枠の下枠１４０側に突出しており、排水用溝１２１の上方に至っている。サッシ枠の下枠１４０の脱衣室１０７側の端部１４１も、排水用溝１２１の上方に位置しており、上板材１３０のサッシ枠側端部１３１と、サッシ枠の下枠１４０の脱衣室１０７側の端部１４１とは、排水用溝１２１の上方において、間隔を空けて対向している。
【００３５】
また、防水シート１５０は、下板材１２０と下地材１６１との間に挟まれることにより、下枠材１１０の下面に当接し、下地材１６１の端面と、土台１６０の上面及び側面とを覆うように床下へと導出される。第２実施形態に係る開口部の下部構造１０１によっても、第１実施形態と同様に、下地材１６１や土台１６０等の腐食を防止することができる。
【００３６】
以上、本発明の第１及び第２実施形態について説明したが、本発明は、これらの実施形態に限定されず、例えば、以下のような構成を採用することができる。
【００３７】
第１及び第２実施形態においては、排水用溝が、サッシ枠の下枠の長手方向に対して直交している場合について説明したが、本発明において、排水用溝がサッシ枠の下枠の長手方向に対してなす角は、特に限定されず、例えば、排水用溝がサッシ枠の下枠の長手方向に対して略直交していてもよい。
【００３８】
排水用溝の平面視形状に関し、第１及び第２実施形態においては、排水用溝の平面視形状が矩形状である場合について説明したが、本発明において、排水用溝の平面視形状は、この例に限定されるものではなく、例えば、排水用溝の奥側壁から側開口部に近づくにつれて排水用溝の幅が次第に広がる形状、側開口部から奥側壁に近づくにつれて排水用溝の幅が次第に広がる形状等を挙げることができる。また、排水用溝は、第１及び第２実施形態のように、下枠材の長手方向に沿う長さが下枠材の短手方向に沿う長さより長くなるように形成されてもよく、逆に、下枠材の長手方向に沿う長さが下枠材の短手方向に沿う長さより短くなるように形成されてもよい。
【００３９】
排水用溝の平面視形状を、排水用溝の奥側壁から側開口部に近づくにつれて排水用溝の幅が次第に広がる形状とすることにより、排水用溝からの排水をよりスムーズに行うことが可能になる。排水用溝の平面視形状を、側開口部から奥側壁に近づくにつれて排水用溝の幅が次第に広がる形状とすることにより、上板材とサッシ枠の下枠の端部との間と排水溝とが連通する部分の面積を相対的に広く確保できるので、排水用溝への水分の導入をよりスムーズに行うことが可能になる。また、複数の排水用溝は、互いに連通していてもよい。
【００４０】
下枠材の短手方向に沿った排水用溝の平面視長さは、特に限定されず、例えば、下枠材の短手方向の幅の１／２を超えるものであってもよいが、本発明においては、第１及び第２実施形態に示したように、排水用溝の平面視長さは、下枠材の短手方向の幅の１／２以下であることが望ましく、下枠材の短手方向の幅の１／４以下であることがより望ましい。排水用溝の長さを短くすることにより、排水用溝に入り込んだ水分を速やかに床下側へ排出することが可能となり、また、サッシ枠の下枠を支持するための強度を確保することができる。
【００４１】
排水用溝の正面視形状（排水用溝の短手方向の断面形状）に関し、第１及び第２実施形態においては、排水用溝の平面視形状が矩形状である場合について説明したが、本発明において、排水用溝の平面視形状は、この例に限定されるものではなく、例えば、Ｖ字形状、Ｕ字形状等を挙げることができる。
【００４２】
下枠材の構造に関し、第１及び第２実施形態においては、下枠材が下板材と上板材とからなる場合について説明したが、本発明において、下枠材は、この例に限定されず、例えば、下板材と上板材とが一体的に構成されたものであってもよい。また、下板材は、複数の板状体が積層されることにより構成されたものであってもよい。
【００４３】
開口部の下部構造の適用位置に関し、第１及び第２実施形態においては、サッシ枠が設けられる側（一側端縁側）が浴室となり、床板が設けられる側（他側端縁側）が脱衣室となる位置である場合について説明したが、本発明は、この例に限定されるものではない。本発明において、開口部の下部構造の適用位置は、例えば、サッシ枠が設けられる側が屋外となり、床板が設けられる側が屋内となる位置（例えば勝手口等）であってもよい。本発明に係る開口部の下部構造を勝手口等に適用することにより、結露水の屋外への排出を容易に行うことができる。また、開口部は、扉が設けられるものに限定されず、窓が設けられるものであってもよい。
【００４４】
防水シートの取り付け方に関し、第１及び第２実施形態においては、防水シートが下板材と下地材との間に挟まれることにより取り付けられる場合について説明したが、本発明において、防水シートの取り付け方は、この例に限定されるものではない。防水シートは、例えば、下枠材の下面又は一側端縁側の端面に、接着剤等により取り付けられてもよく、リベット等により固定されてもよい。ただし、製造コスト増を避けるため、防水シートは、第１及び第２実施形態のように、下枠材（下板材）と下地材との間に挟まれることにより取り付けられるように構成されていることが望ましい。
【００４５】
なお、本発明は、上述した例に限定されるものではなく、本発明の構成を充足する範囲内で、適宜設計変更を行うことが可能である。
【符号の説明】
【００４６】
１、１０１  開口部の下部構造
７、１０７  脱衣室
８、１０８  浴室
９、１０９  開口部
１０、１１０  下枠材
２０、１２０  下板材
２１、１２１  排水用溝
２２  （排水用溝２１の）底面
２３、１２３  （排水用溝２１の）奥側壁
２４  接着剤溜め用溝
２５  （排水用溝２１の）側開口部
２６、１２６  （下板材２０のサッシ枠の下枠４０が接する側の）一側端縁
２７  （下板材２０の）他側端縁
３０、１３０  上板材
３１、１３１  サッシ枠側端部
３２  床板側鍔部
４０、１４０  （サッシ枠の）下枠
４１、１４１  サッシ枠の下枠の端部
５０、１５０  防水シート
５１  縦枠
６０、１６０  土台
６１、１６１  下地材
６２、１６２  床材
６２ａ  （床材の）端面
【図１】
0005442415.tif 000002
【図２】
0005442415.tif 000003
【図３】
0005442415.tif 000004
【図４】
0005442415.tif 000005
【図５】
0005442415.tif 000006